(57)【要約】  デジタルサイネージ設定装置ＣＴｋは、起動に応じて、識別情報を用いて、自己に対応した所定の設定情報をサーバ装置ＳＲに要求する。サーバ装置ＳＲは、デジタルサイネージ設定装置ＣＴｋの要求に応じて、所定の設定情報をデジタルサイネージ設定装置ＣＴｋの識別情報に対応付けて保存する記憶部ＨＤＳから、デジタルサイネージ設定装置ＣＴｋの識別情報に対応した所定の設定情報を抽出してデジタルサイネージ設定装置ＣＴｋに送信する。デジタルサイネージ設定装置ＣＴｋは、送信された所定の設定情報を受信して設定コマンドを実行する。
2014118849.tif 000002
【特許請求の範囲】
【請求項１】
設定装置とサーバ装置とがネットワークを介して接続された情報配信システムであって、
前記サーバ装置は、
所定の設定情報を前記設定装置の識別情報に対応付けて保存するサーバ記憶部と、
前記設定装置の識別情報に対応した前記所定の設定情報を抽出するサーバ制御部と、
抽出された前記所定の設定情報を前記設定装置に送信するサーバ通信部と、を備え、
前記設定装置は、
前記設定装置の識別情報を保存する設定装置記憶部と、
前記設定装置の起動に応じて、前記設定装置の識別情報を用いて、前記設定装置に対応した前記所定の設定情報を要求する設定装置制御部と、
送信された前記設定装置に対応した前記所定の設定情報を受信する設定装置受信部と、を備え、
前記設定装置制御部は、受信された前記所定の設定情報に応じた設定コマンドを実行する、
情報配信システム。
【請求項２】
設定装置とサーバ装置とがネットワークを介して接続された情報配信システムであって、
前記サーバ装置は、
所定の設定情報を前記設定装置の識別情報に対応付けて保存するサーバ記憶部と、
前記設定装置の識別情報に対応した前記所定の設定情報を抽出するサーバ制御部と、
抽出された前記所定の設定情報を前記設定装置に送信するサーバ通信部と、を備え、
前記設定装置は、
前記設定装置の起動に応じて、外部の識別情報設定装置から付与された前記設定装置の識別情報を取得し、付与された前記設定装置の識別情報を用いて、前記設定装置に対応した前記所定の設定情報を要求する設定装置制御部と、
送信された前記設定装置に対応した前記所定の設定情報を受信する設定装置受信部と、を備え、
前記設定装置制御部は、受信された前記所定の設定情報に応じた設定コマンドを実行する、
情報配信システム。
【請求項３】
請求項１又は２に記載の情報配信システムであって、
コンテンツを表示するディスプレイ装置と、を更に備え、
前記所定の設定情報は、前記ディスプレイ装置における前記コンテンツの表示を制御するための設定情報を含み、
前記設定装置制御部は、前記所定の設定情報に応じて、前記コンテンツの表示制御に対応する設定コマンドを実行する、
情報配信システム。
【請求項４】
請求項１又は２に記載の情報配信システムであって、
前記サーバ記憶部は、前記所定の設定情報を、前記設定情報の識別情報と前記設定装置の設置場所との組み合わせに対応付けて保存する、
情報配信システム。
【請求項５】
請求項１又は２に記載の情報配信システムであって、
前記サーバ記憶部又は前記設定装置は、前記設定装置の識別情報と前記設定装置の設置場所と前記所定の全ての設定情報の設定完了の有無とを対応付けた設定情報管理情報を更に記憶し、
前記設定装置制御部は、前記設定装置の識別情報に対応した前記所定の全ての設定情報の設定コマンドの実行が既に完了している場合に、前記設定コマンドの実行を省略する、
情報配信システム。
【請求項６】
請求項１又は２に記載の情報配信システムであって、
前記サーバ記憶部又は前記設定装置は、前記設定装置の識別情報と前記所定の全ての設定情報のうち個々の設定情報の設定完了の有無とを対応付けた個別設定情報完了情報を更に記憶し、
前記設定装置制御部は、前記設定装置の識別情報に対応した前記所定の全ての設定情報のうち設定コマンドの実行が既に完了している前記設定情報に対して、前記設定コマンドの実行を省略する、
情報配信システム。
【請求項７】
ネットワークを介して接続された設定装置とサーバ装置とを含む情報配信システムにおける設定情報通信方法であって、
前記設定装置が、前記設定装置の起動に応じて、前記設定装置の識別情報を用いて、前記設定装置に対応した所定の設定情報を要求するステップと、
前記サーバ装置が、前記設定装置の要求に応じて、前記所定の設定情報を前記設定装置の識別情報に対応付けて保存するサーバ記憶部から、前記設定装置の識別情報に対応した前記所定の設定情報を抽出するステップと、
前記サーバ装置が、抽出された前記所定の設定情報を前記設定装置に送信するステップと、
前記設定装置が、送信された前記設定装置に対応した前記所定の設定情報を受信するステップと、を有する、
設定情報通信方法。
【発明の詳細な説明】
【技術分野】
【０００１】
本発明は、ネットワークを介して、情報を配信する情報配信システム及び設定情報通信方法に関する。
【背景技術】
【０００２】
近年、情報通信技術、ディスプレイ装置の表示技術の進歩に伴い、ディスプレイ装置（例えば液晶ディスプレイ装置、プラズマディスプレイ装置又は有機ＥＬ（Electroluminescence）ディスプレイ装置）を屋外又は店内に設置し、ネットワークを介して案内情報若しくは広告情報を配信して表示させるデジタルサイネージシステムが普及している。【０００３】
デジタルサイネージシステムでは、ディスプレイ装置は、表示されるコンテンツの用途に応じた場所（例えば空港、レストラン又はショップ）に設置され、ネットワークを介して接続されたサーバ装置から配信されたコンテンツを表示する。なお、サーバ装置はディスプレイ装置の設置場所とは離れた場所（例えばデジタルサイネージシステムの運営業者の中央管理室）に設置されることが多い。【０００４】
デジタルサイネージシステムでは、ディスプレイ装置は、予め規定された設定情報に従って、例えば特定の時間にコンテンツを表示でき、別の時間には他のコンテンツを表示することもできる。このため、デジタルサイネージシステムは、人が時間帯に拘わらず案内用ポスター若しくは広告用ポスターを張り替える必要がなくなり、各種のコンテンツを案内又は広告できるという点において注目されている。【０００５】
デジタルサイネージシステムに関連する先行技術として、例えば特許文献１に示す表示装置が知られている。特許文献１に示す表示装置は、静止画データ又は動画データを表示させるかを指定する画像指定情報を参照し、外部記憶媒体内の静止画データ又は動画データの再生を、表示装置の起動に伴って行う。【０００６】
最近のデジタルサイネージシステムでは、サーバ装置から配信されたコンテンツをディスプレイ装置において表示させるパターンだけでなく、ディスプレイ装置の設置場所に、映像、音声、文字の各情報（コンテンツ）を予め保存した設定装置（以下、「デジタルサイネージ設定装置」という）から出力されたコンテンツをディスプレイ装置に表示させるパターンも多い。【０００７】
デジタルサイネージ設定装置は、デジタルサイネージ設定装置及びディスプレイ装置に対し、コンテンツの表示に必要な設定情報及びディスプレイ装置の動作に必要な制御情報（以下、単に「設定情報」という）を用いた設定コマンド（設定処理）を実行する。設定情報は、例えばディスプレイ装置に接続される外部接続機器（例えばカメラ、スピーカ、人感センサ）又はディスプレイ装置の設置場所に関する情報を含むが、詳細は後述する。
【先行技術文献】
【特許文献】
【０００８】
【特許文献１】日本国特開２０１２−２２０９０６号公報
【発明の概要】
【発明が解決しようとする課題】
【０００９】
従来のデジタルサイネージシステムでは、作業員は、ディスプレイ装置の設置場所とデジタルサイネージ設定装置の識別情報と設定情報の入力を含む設定処理が完了したか否かを対応付けて登録する作業（以下、「キッティング」という）を予め行ってから、デジタルサイネージ設定装置及びディスプレイ装置を設置場所に運んでから設置作業を行っていた。【００１０】
しかし、上述した従来の方法では、作業員は、個々のデジタルサイネージ設定装置に対してキッティングを行った後にそれぞれの設置場所に持ち運んで設置しなければならず、キッティング対象のデジタルサイネージ設定装置が多い場合には、キッティングを行った各デジタルサイネージ設定装置を明確に区別して管理した上で持ち運ばないとデジタルサイネージ設定装置が誤った設置場所に設置されてしまうという課題があった。【００１１】
この従来の課題を解決するために、作業員がデジタルサイネージ設定装置を設置場所に持ち運んでからその設置場所に対応したキッティングを行うことも考えられるが、キッティングには相当のスキルを有する作業員が必要となり、デジタルサイネージ設定装置及びディスプレイ装置の設定作業に時間がかかるという課題が生じてしまう。【００１２】
また、特許文献１には上述した従来の課題、即ち、キッティング対象のデジタルサイネージ設定装置が多い場合には、作業員はキッティングを行った各デジタルサイネージ設定装置を明確に区別して管理した上で持ち運ばないとデジタルサイネージ設定装置が誤った設置場所に設置されてしまうという課題については考慮されていないため、以前として当該課題は解決されていない。【００１３】
本発明は、上述した従来の課題を解決するために、キッティング対象のデジタルサイネージ設定装置が複数ある場合でも、コンテンツの表示に必要なデジタルサイネージ設定装置及びディスプレイ装置の設定作業を簡易に迅速化する情報配信システム及び設定情報通信方法を提供することを目的とする。
【課題を解決するための手段】
【００１４】
本発明は、設定装置とサーバ装置とがネットワークを介して接続された情報配信システムであって、前記サーバ装置は、所定の設定情報を前記設定装置の識別情報に対応付けて保存するサーバ記憶部と、前記設定装置の識別情報に対応した前記所定の設定情報を抽出するサーバ制御部と、抽出された前記所定の設定情報を前記設定装置に送信するサーバ通信部と、を備え、前記設定装置は、前記設定装置の識別情報を保存する設定装置記憶部と、前記設定装置の起動に応じて、前記設定装置の識別情報を用いて、前記設定装置に対応した前記所定の設定情報を要求する設定装置制御部と、送信された前記設定装置に対応した前記所定の設定情報を受信する設定装置受信部と、を備え、前記設定装置制御部は、受信された前記所定の設定情報に応じた設定コマンドを実行する、情報配信システムである。【００１５】
この構成によれば、サーバ装置は、設定装置が予め保持している識別情報と設定装置用の所定の設定情報とを対応付けて記憶しており、設定装置の起動に応じて、設定装置の識別情報を用いた所定の設定情報の要求を受けると、設定装置の識別情報に対応した所定の設定情報を設定装置に送信する。設定装置は、送信された所定の設定情報を用いて、例えば設置場所に設置される設定装置とディスプレイ装置に設定コマンドを実行する。【００１６】
これにより、本発明に係る情報配信システムは、キッティング対象のデジタルサイネージ設定装置が複数ある場合でも、デジタルサイネージ設定装置毎に予め保存された設定情報を簡易に抽出できるので、コンテンツの表示に必要なデジタルサイネージ設定装置及びディスプレイ装置の設定作業を迅速化することができる。【００１７】
また、本発明は、設定装置とサーバ装置とがネットワークを介して接続された情報配信システムであって、前記サーバ装置は、所定の設定情報を前記設定装置の識別情報に対応付けて保存するサーバ記憶部と、前記設定装置の識別情報に対応した前記所定の設定情報を抽出するサーバ制御部と、抽出された前記所定の設定情報を前記設定装置に送信するサーバ通信部と、を備え、前記設定装置は、前記設定装置の起動に応じて、外部の識別情報設定装置から付与された前記設定装置の識別情報を取得し、付与された前記設定装置の識別情報を用いて、前記設定装置に対応した前記所定の設定情報を要求する設定装置制御部と、送信された前記設定装置に対応した前記所定の設定情報を受信する設定装置受信部と、を備え、前記設定装置制御部は、受信された前記所定の設定情報に応じた設定コマンドを実行する、情報配信システムである。【００１８】
この構成によれば、サーバ装置は、識別情報と設定装置用の所定の設定情報とを対応付けて記憶しており、設定装置が予め識別情報を保持していない場合であっても、設定装置の起動に応じて、外部の識別情報設定装置から付与された設定装置の識別情報を用いた所定の設定情報の要求を受けると、設定装置の識別情報に対応した所定の設定情報を設定装置に送信する。設定装置は、送信された所定の設定情報を用いて、例えば設置場所に設置される設定装置とディスプレイ装置に設定コマンドを実行する。【００１９】
これにより、本発明に係る情報配信システムは、キッティング対象のデジタルサイネージ設定装置が複数ある場合でも、デジタルサイネージ設定装置毎に予め保存された設定情報を簡易に抽出できるので、コンテンツの表示に必要なデジタルサイネージ設定装置及びディスプレイ装置の設定作業を迅速化することができる。【００２０】
また、本発明は、ネットワークを介して接続された設定装置とサーバ装置とを含む情報配信システムにおける設定情報通信方法であって、前記設定装置が、前記設定装置の起動に応じて、前記設定装置の識別情報を用いて、前記設定装置に対応した所定の設定情報を要求するステップと、前記サーバ装置が、前記設定装置の要求に応じて、前記所定の設定情報を前記設定装置の識別情報に対応付けて保存するサーバ記憶部から、前記設定装置の識別情報に対応した前記所定の設定情報を抽出するステップと、前記サーバ装置が、抽出された前記所定の設定情報を前記設定装置に送信するステップと、前記設定装置が、送信された前記設定装置に対応した前記所定の設定情報を受信するステップと、を有する、設定情報通信方法である。【００２１】
この方法によれば、サーバ装置は、設定装置が予め保持している識別情報と設定装置用の所定の設定情報とを対応付けて記憶しており、設定装置の起動に応じて、設定装置の識別情報を用いた所定の設定情報の要求を受けると、設定装置の識別情報に対応した所定の設定情報を設定装置に送信する。設定装置は、送信された所定の設定情報を用いて、例えば設置場所に設置される設定装置とディスプレイ装置に設定コマンドを実行する。【００２２】
また、この方法によれば、サーバ装置は、識別情報と設定装置用の所定の設定情報とを対応付けて記憶しており、設定装置が予め識別情報を保持していない場合であっても、設定装置の起動に応じて、外部の識別情報設定装置から付与された設定装置の識別情報を用いた所定の設定情報の要求を受けると、設定装置の識別情報に対応した所定の設定情報を設定装置に送信する。設定装置は、送信された所定の設定情報を用いて、例えば設置場所に設置される設定装置とディスプレイ装置に設定コマンドを実行する。【００２３】
これにより、本発明に係る設定情報通信方法によれば、情報配信システムは、キッティング対象のデジタルサイネージ設定装置が複数ある場合でも、デジタルサイネージ設定装置毎に予め保存された設定情報を簡易に抽出できるので、コンテンツの表示に必要なデジタルサイネージ設定装置及びディスプレイ装置の設定作業を迅速化することができる。
【発明の効果】
【００２４】
本発明によれば、キッティング対象のデジタルサイネージ設定装置が複数ある場合でも、コンテンツの表示に必要なデジタルサイネージ設定装置及びディスプレイ装置の設定作業を簡易に迅速化することができる。
【図面の簡単な説明】
【００２５】
【図１】本実施形態のデジタルサイネージシステムのシステム構成を示すブロック図
【図２】本実施形態のサーバ装置の内部構成を示すブロック図
【図３】本実施形態のデジタルサイネージ設定装置の内部構成を示すブロック図
【図４】（Ａ）設定情報管理データベースの内容の一例を示す図、（Ｂ）設定情報の一覧の一例を示す図
【図５】（Ａ）個別設定情報完了データベースの内容の一例を示す図、（Ｂ）設定完了フラグの詳細の一例を示す図
【図６】本実施形態のデジタルサイネージシステムの動作手順の一例を時系列に説明するシーケンス図
【図７】本実施形態のデジタルサイネージシステムの動作手順の一例を時系列に説明するシーケンス図
【図８】本変形例のデジタルサイネージシステムのシステム構成を示すブロック図
【図９】本変形例のデジタルサイネージシステムの動作手順の一例を時系列に説明するシーケンス図
【発明を実施するための形態】
【００２６】
以下、本発明に係る情報配信システム及び設定情報通信方法の実施形態について、図面を参照して説明する。以下の実施形態では、本発明に係る情報配信システムの一例として、利用者又は通行人に案内情報若しくは広告情報をディスプレイ装置に配信して表示させるデジタルサイネージシステムを用いて説明する。
【００２７】
なお、本発明は、情報配信システムに限らず、情報配信システムを構成する各装置、各装置間における設定情報通信方法を含んでも良い。更に、本発明は、情報配信システムを構成する各装置において実行される各動作（ステップ）を含んだ方法として表現することも可能である。即ち、本発明は、装置、方法及びシステムのうちいずれのカテゴリとしても表現可能である。
【００２８】
（デジタルサイネージシステムのシステム構成）
先ず、本実施形態のデジタルサイネージシステムのシステム構成について、図１を参照して説明する。図１は、本実施形態のデジタルサイネージシステム１００のシステム構成を示すブロック図である。図１に示すデジタルサイネージシステム１００は、サーバ装置ＳＲ、遠隔操作用装置ＯＰ、複数のデジタルサイネージ設定装置ＣＴｋ（ｋ：１≦ｋ≦ｎを満たす整数、ｎ：整数、以下同様）及び複数のディスプレイ装置Ｄｋを含む。
【００２９】
サーバ装置ＳＲと複数のデジタルサイネージ設定装置ＣＴｋとはネットワークＮＷ１に接続され、サーバ装置ＳＲと遠隔操作用装置ＯＰとはネットワークＮＷ２に接続されている。図１では、ネットワークＮＷ１とネットワークＮＷ２とは異なるネットワークとして図示されているが、同一のネットワークでも良い。
【００３０】
本実施形態では、説明を簡単にするために、１つのデジタルサイネージ設定装置ＣＴｋと１つのディスプレイ装置Ｄｋとが対応して設けられているが、１つのデジタルサイネージ設定装置ＣＴｋに対して複数のディスプレイ装置Ｄｋが対応して設けられても良い。更に、１つのディスプレイ装置Ｄｋに対して複数のデジタルサイネージ設定装置ＣＴｋが対応して設けられても良い。
【００３１】
本実施形態では、サーバ装置ＳＲは、デジタルサイネージ設定装置ＣＴｋが予め保持している識別情報（例えば個別ＩＤ情報３１）とデジタルサイネージ設定装置ＣＴｋの設置場所とデジタルサイネージ設定装置ＣＴｋ用の所定の設定情報とを対応付けて記憶している。サーバ装置ＳＲは、デジタルサイネージ設定装置ＣＴｋの起動に応じて、デジタルサイネージ設定装置ＣＴｋの個別ＩＤ情報３１を用いた設定情報の要求を受けると、デジタルサイネージ設定装置ＣＴｋの個別ＩＤ情報３１に対応した所定の設定情報を記憶部ＨＤＳから抽出してデジタルサイネージ設定装置ＣＴｋに送信する。デジタルサイネージ設定装置ＣＴｋは、サーバ装置ＳＲから送信された所定の設定情報を用いて、設置場所に設置されるデジタルサイネージ設定装置ＣＴｋとディスプレイ装置Ｄｋに設定コマンドを実行する。
【００３２】
サーバ装置ＳＲは、デジタルサイネージシステム１００においてディスプレイ装置Ｄｋが表示するコンテンツデータ、及びデジタルサイネージ設定装置ＣＴｋ毎に定められた設定情報（後述参照）を保存している。サーバ装置ＳＲの機能的構成については、図２を参照して後述する。
【００３３】
遠隔操作用装置ＯＰは、ネットワークＮＷ２を介してサーバ装置ＳＲに接続され、サーバ装置ＳＲを遠隔操作する。例えば、遠隔操作用装置ＯＰは、遠隔操作用装置ＯＰのユーザの入力操作に応じて、サーバ装置ＳＲの記憶部ＨＤＳに保存されているデータの内容（図２参照）を書き換える。なお、遠隔操作用装置ＯＰは、例えばＰＣ（Personal Computer）、携帯電話機、スマートフォン、タブレット端末等の電子機器である。
【００３４】
デジタルサイネージ設定装置ＣＴｋは、デジタルサイネージ設定装置ＣＴｋ毎に定められた設定情報（後述参照）を用いて、デジタルサイネージシステム１００においてディスプレイ装置Ｄｋにおけるコンテンツの表示に関わる制御を行う。デジタルサイネージ設定装置ＣＴｋの機能的構成については、図３を参照して後述する。なお、デジタルサイネージ設定装置ＣＴｋの内部構成はデジタルサイネージ設定装置ＣＴ１〜デジタルサイネージ設定装置ＣＴｎにおいて共通であるので、以下の説明ではデジタルサイネージ設定装置ＣＴｋを例示して説明する。なお、デジタルサイネージ設定装置ＣＴｋは、例えばＰＣ、携帯電話機、スマートフォン、タブレット端末等の電子機器である。
【００３５】
ディスプレイ装置Ｄｋは、デジタルサイネージ設定装置ＣＴｋにおける制御の下で、デジタルサイネージ設定装置ＣＴｋから出力されたコンテンツデータを、デジタルサイネージ設定装置ＣＴｋが実行した設定コマンドの内容に従って表示する。なお、ディスプレイ装置Ｄｋの内部構成はディスプレイ装置Ｄ１〜ディスプレイ装置Ｄｎにおいて共通であるので、以下の説明ではディスプレイ装置Ｄｋを例示して説明する。
【００３６】
（サーバ装置ＳＲの機能的構成）
次に、本実施形態のデジタルサイネージシステム１００を構成するサーバ装置ＳＲの機能的構成について、図２を参照して説明する。図２は、本実施形態のサーバ装置ＳＲの内部構成を示すブロック図である。サーバ装置ＳＲは、通信部ＣＭＳ、サーバ制御部ＣＮＴＳ、メモリＲＭＳ及び記憶部ＨＤＳを含む。サーバ制御部ＣＮＴＳは、通信確認部１１、設定完了判定部１２、設定情報管理部１３及びコンテンツ管理部１４を少なくとも含む。サーバ記憶部としての記憶部ＨＤＳは、設定情報データベースＳＴＤ、設定情報管理データベースＴＰ１、個別設定情報完了データベースＴＰ２及びサイネージコンテンツデータベースＣＴＤを含む。通信部ＣＭＳ及びサーバ制御部ＣＮＴＳは、メモリＲＭＳをワークメモリとして用いる。
【００３７】
通信部ＣＭＳは、有線通信又は無線通信によって、サーバ装置ＳＲに接続される各装置（デジタルサイネージ設定装置ＣＴｋ、遠隔操作用装置ＯＰ）との間においてデータを送受信し、サーバ装置ＳＲに接続される各装置から送信されたデータをサーバ制御部ＣＮＴＳに出力する。
【００３８】
サーバ制御部ＣＮＴＳは、サーバ装置ＳＲに内蔵されるプロセッサを用いて構成される。プロセッサは、例えばＣＰＵ（Central Processing Unit）、ＭＰＵ（Micro Processing Unit）又はＤＳＰ（Digital Signal Processor）を用いて構成され、サーバ装置ＳＲの各部の動作を全体的に統括するための制御処理、他の各部との間のデータの入出力処理、データの演算（計算）処理及びデータの記憶処理を実行する。
【００３９】
通信確認部１１は、デジタルサイネージ設定装置ＣＴｋの電源がＯＮされた後、デジタルサイネージ設定装置ＣＴｋからのサーバ装置ＳＲに対する通信要求情報に応じて、通信要求を承認して良いか否かを判定する。例えば、デジタルサイネージ設定装置ＣＴｋとサーバ装置ＳＲとの間の通信確認テスト用のページへのアドレス（例えばＵＲＬ：Uniform Resource Locator）が通信要求情報に含まれている場合、通信確認部１１は、通信確認テスト用の既定のアドレスへのアクセス結果に応じて、デジタルサイネージ設定装置ＣＴｋとサーバ装置ＳＲとの間の通信要求を承認して良いか否かを判定する。通信確認部１１は、判定結果を通信部ＣＭＳに出力する。通信部ＣＭＳは、通信確認部１１における判定結果をデジタルサイネージ設定装置ＣＴｋに送信する。
【００４０】
設定完了判定部１２は、デジタルサイネージ設定装置ＣＴｋの電源がＯＮされた後、デジタルサイネージ設定装置ＣＴｋの個別ＩＤ情報３１を含む設定情報取得要求に応じて、デジタルサイネージ設定装置ＣＴｋにおける設定情報の設定コマンドの実行が既に完了しているか否かを設定情報管理データベースＴＰ１に問い合わせる。
【００４１】
具体的には、設定完了判定部１２は、図４（Ａ）に示す設定情報管理データベースＴＰ１を参照し、設定情報の取得要求に含まれるデジタルサイネージ設定装置ＣＴｋの個別ＩＤ情報３１に対応する「全ての設定情報の設定完了の有無」が「完」であるか否かを判定する。
【００４２】
設定完了判定部１２は、設定情報取得要求に応じたデジタルサイネージ設定装置ＣＴｋにおける設定情報の設定コマンドの実行が既に完了していると判定した場合には、その旨の判定結果を通信部ＣＭＳに出力する。通信部ＣＭＳは、設定完了判定部１２における判定結果をデジタルサイネージ設定装置ＣＴｋに送信する。この場合、デジタルサイネージ設定装置ＣＴｋは、設定情報の設定コマンドの実行が既に完了しているので、設定情報を用いた設定コマンド（例えば設定情報の入力処理）の実行を省略する。
【００４３】
これにより、本実施形態のデジタルサイネージシステム１００は、サーバ装置ＳＲとデジタルサイネージ設定装置ＣＴｋとの間の通信量を削減することができ、例えばコンテンツの表示に必要なデジタルサイネージ設定装置ＣＴｋ及びディスプレイ装置Ｄｋの設定作業を一層迅速化できる。
【００４４】
また、設定完了判定部１２は、設定情報取得要求に応じたデジタルサイネージ設定装置ＣＴｋにおける設定情報の設定コマンドの実行が既に完了している項目と完了していない項目とがあると判定した場合には、完了している設定情報の項目の情報を通信部ＣＭＳに出力する。通信部ＣＭＳは、設定が完了している設定情報の項目の情報をデジタルサイネージ設定装置ＣＴｋに送信する。この場合、デジタルサイネージ設定装置ＣＴｋは、設定情報の設定コマンドの実行が既に完了している項目に対して、設定情報を用いた設定コマンドの実行を省略する。
【００４５】
これにより、本実施形態のデジタルサイネージシステム１００は、サーバ装置ＳＲは設定が完了している設定情報をデジタルサイネージ設定装置ＣＴｋに送信しないので、サーバ装置ＳＲとデジタルサイネージ設定装置ＣＴｋとの間の通信量を削減することができ、コンテンツの表示に必要なデジタルサイネージ設定装置ＣＴｋ及びディスプレイ装置Ｄｋの設定作業を一層迅速化できる。
【００４６】
設定完了判定部１２は、設定情報取得要求に応じたデジタルサイネージ設定装置ＣＴｋに対する一部又は全ての設定情報の設定コマンドの実行が既に完了していないと判定した場合には、設定情報取得要求に応じたデジタルサイネージ設定装置ＣＴｋの設定情報の取得要求を設定情報管理部１３に出力する。
【００４７】
設定情報管理部１３は、設定完了判定部１２が出力した設定情報の取得要求に応じて、設定情報取得要求を行ったデジタルサイネージ設定装置ＣＴｋの設定情報を設定情報データベースＳＴＤから抽出して通信部ＣＭＳに出力する。
【００４８】
具体的には、設定情報管理部１３は、図４（Ａ）に示す設定情報管理データベースＴＰ１を参照し、設定情報の取得要求に含まれるデジタルサイネージ設定装置ＣＴｋの個別ＩＤ情報３１に対応する「設定情報の保存場所」を特定する。設定情報管理部１３は、特定された「設定情報の保存場所」に従って、設定情報データベースＳＴＤの該当する保存場所にアクセスしてデジタルサイネージ設定装置ＣＴｋの設定情報を抽出して通信部ＣＭＳに出力する。通信部ＣＭＳは、設定情報管理部１３が抽出した設定情報をデジタルサイネージ設定装置ＣＴｋに送信する。
【００４９】
また、設定情報管理部１３は、遠隔操作用装置ＯＰからの遠隔操作を、通信部ＣＭＳを介して受け付け、遠隔操作用装置ＯＰからの遠隔操作（例えば設定情報データベースＳＴＤの内容の書き換え）に応じた処理を実行する。
【００５０】
コンテンツ管理部１４は、デジタルサイネージ設定装置ＣＴｋの全ての設定情報の設定コマンドの実行が既に完了した後、デジタルサイネージ設定装置ＣＴｋからのコンテンツ取得要求に応じたコンテンツデータ及びスケジュールデータを、サイネージコンテンツデータベースＣＴＤから抽出して通信部ＣＭＳに出力する。通信部ＣＭＳは、コンテンツ管理部１４が抽出したコンテンツデータ及びスケジュールデータをデジタルサイネージ設定装置ＣＴｋに送信する。ここで、スケジュールデータは、デジタルサイネージ設定装置ＣＴｋにおいて、コンテンツデータの出力（例えば表示、音声出力）のスケジュールが予め規定されたデータである。
【００５１】
記憶部ＨＤＳは、例えば補助記憶装置等のディスク装置又はフラッシュメモリを用いて構成され、サーバ制御部ＣＮＴＳによってデータの内容を書き換え可能である。
【００５２】
設定情報データベースＳＴＤは、デジタルサイネージ設定装置ＣＴｋ毎の設定情報を記憶している。
【００５３】
本実施形態におけるデジタルサイネージ設定装置ＣＴｋにおける設定情報は、例えば以下のものが挙げられるが、これらの内容に限定されない（図４（Ｂ）参照）。図４（Ｂ）は、設定情報の一覧の一例を示す図である。
１．ディスプレイ装置Ｄｋの画面の解像度（ディスプレイ装置用設定情報３２に対応）
２．音声出力の有無及び音量（ディスプレイ装置用設定情報３２に対応）
３．デジタルサイネージ設定装置ＣＴｋの電源ＶＣＣの自動ＯＦＦ（スタンバイモードを含む）／自動ＯＮの時刻（設定装置用設定情報３３に対応）
４．ディスプレイ装置Ｄｋの電源の自動ＯＦＦ（スタンバイモードを含む）／自動ＯＮの時刻（ディスプレイ装置用設定情報３２に対応）
５．デジタルサイネージ設定装置ＣＴｋの再起動の時刻（設定装置用設定情報３３に対応）
６．コンテンツデータをサーバ装置ＳＲからダウンロードを要求する時刻（設定装置用設定情報３３に対応）
７．設置場所（ディスプレイ装置用設定情報３２及び設定装置用設定情報３３に対応）
８．ディスプレイ装置Ｄｋに接続される外部装置（例：カメラ装置、センサ装置）の仕様情報及び設定情報（ディスプレイ装置用設定情報３２に対応）
９．ディスプレイ装置Ｄｋのタッチパネルの仕様情報及び設定情報（ディスプレイ装置用設定情報３２に対応）
１０．デジタルサイネージ設定装置ＣＴｋにおけるタイムゾーン（設定装置用設定情報３３に対応）
１１．ディスプレイ装置Ｄｋにおけるタイムゾーン（ディスプレイ装置用設定情報３２に対応）
【００５４】
設定情報管理データベースＴＰ１は、デジタルサイネージ設定装置ＣＴｋの個別ＩＤ情報３１と、デジタルサイネージ設定装置ＣＴｋ及びディスプレイ装置Ｄｋの設置場所と、デジタルサイネージ設定装置ＣＴｋにおける全ての設定情報の設定コマンドの実行が既に完了したか否かを示す情報と、デジタルサイネージ設定装置ＣＴｋにおける設定情報の保存場所とを対応付けて記憶している（図４（Ａ）参照）。図４（Ａ）は、設定情報管理情報としての設定情報管理データベースの内容の一例を示す図である。
【００５５】
なお、設定情報管理データベースＴＰ１は、デジタルサイネージ設定装置ＣＴｋの個別ＩＤ情報３１と、デジタルサイネージ設定装置ＣＴｋにおける全ての設定情報の設定コマンドの実行が既に完了したか否かを示す情報と、デジタルサイネージ設定装置ＣＴｋにおける設定情報の保存場所とを対応付けて記憶しても良い。
【００５６】
例えば、デジタルサイネージ設定装置ＣＴｋの個別ＩＤ情報３１が「ＡＡ…００１」のデジタルサイネージ設定装置ＣＴｋでは、「１Ｆのエントランス」にデジタルサイネージ設定装置ＣＴｋが設置され、全ての設定情報の設定コマンドの実行が既に完了しており、更に、デジタルサイネージ設定装置ＣＴｋの設定情報は設定情報データベースＳＴＤの「アドレスＡＤ１」に保存されている。
【００５７】
また例えば、デジタルサイネージ設定装置ＣＴｋの個別ＩＤ情報３１が「ＡＡ…００２」のデジタルサイネージ設定装置ＣＴｋでは、「１Ｆのエレベータ前」にデジタルサイネージ設定装置ＣＴｋが設置され、全ての設定情報の設定コマンドの実行が既に完了しており、更に、デジタルサイネージ設定装置ＣＴｋの設定情報は設定情報データベースＳＴＤの「アドレスＡＤ２」に保存されている。
【００５８】
更に例えば、デジタルサイネージ設定装置ＣＴｋの個別ＩＤ情報３１が「ＹＹ…００５」のデジタルサイネージ設定装置ＣＴｋでは、「屋上のレストラン」にデジタルサイネージ設定装置ＣＴｋが設置され、全ての設定情報の設定コマンドの実行が既に完了しておらず、更に、デジタルサイネージ設定装置ＣＴｋの設定情報は設定情報データベースＳＴＤの「アドレスＡＤｎ」に保存されている。
【００５９】
個別設定情報完了データベースＴＰ２は、デジタルサイネージ設定装置ＣＴｋの個別ＩＤ情報３１と、デジタルサイネージ設定装置ＣＴｋにおける設定情報の項目と、デジタルサイネージ設定装置ＣＴｋにおける個々の設定情報の設定コマンドの実行が既に完了したか否かを示す情報とを対応付けて記憶している（図５（Ａ）参照）。図５（Ａ）は、個別設定情報完了情報としての個別設定情報完了データベースＴＰ２の内容の一例を示す図である。
【００６０】
例えば、デジタルサイネージ設定装置ＣＴｋの個別ＩＤ情報３１が「ＡＡ…００１」のデジタルサイネージ設定装置ＣＴｋでは、「ディスプレイ装置Ｄｋの解像度」の項目の設定は完了し、「音声出力の有無及び音量」の項目の設定は完了し、…（中略）…、「ディスプレイ装置Ｄｋにおけるタイムゾーン」の項目の設定は完了していない。
【００６１】
サイネージコンテンツデータベースＣＴＤは、デジタルサイネージ設定装置ＣＴｋの個別ＩＤ情報３１に対応したコンテンツデータを記憶している。
【００６２】
（デジタルサイネージ設定装置ＣＴｋの機能的構成）
次に、本実施形態のデジタルサイネージシステム１００を構成するデジタルサイネージ設定装置ＣＴｋの機能的構成について、図３を参照して説明する。図３は、本実施形態のデジタルサイネージ設定装置ＣＴｋの内部構成を示すブロック図である。デジタルサイネージ設定装置ＣＴｋは、電源ＶＣＣ、通信部ＣＭＣ、設定装置制御部ＣＮＴＣ、出力制御部ＤＣＮＴ、操作部ＯＰＣ及び記憶部ＨＤＣを含む。設定装置制御部ＣＮＴＣは、個別ＩＤ取得部２１、設定情報要求部２２、設定コマンド実行部２３及びコンテンツ要求部２４を少なくとも含む。通信部ＣＭＣ及び設定装置制御部ＣＮＴＣは、メモリＲＭＣをワークメモリとして用いる。
【００６３】
電源ＶＣＣは、デジタルサイネージ設定装置ＣＴｋの電源である。デジタルサイネージ設定装置ＣＴｋは、操作部ＯＰＣ（後述参照）からの操作信号に応じて、電源ＶＣＣをＯＮ又はＯＦＦする。また、デジタルサイネージ設定装置ＣＴｋは、操作部ＯＰＣからの操作信号に限らず、設定装置制御部ＣＮＴＣが出力した制御信号に応じて、電源ＶＣＣを自動ＯＦＦ又は自動ＯＮしても良い。
【００６４】
通信部ＣＭＣは、有線通信又は無線通信によって、サーバ装置ＳＲとの間においてデータを送受信し、サーバ装置ＳＲから送信されたデータを設定装置制御部ＣＮＴＣに出力する。
【００６５】
設定装置制御部ＣＮＴＣは、デジタルサイネージ設定装置ＣＴｋに内蔵されるプロセッサを用いて構成される。プロセッサは、例えばＣＰＵ、ＭＰＵ又はＤＳＰを用いて構成され、デジタルサイネージ設定装置ＣＴｋの各部の動作を全体的に統括するための制御処理、他の各部との間のデータの入出力処理、データの演算（計算）処理及びデータの記憶処理を実行する。
【００６６】
個別ＩＤ取得部２１は、デジタルサイネージ設定装置ＣＴｋの起動（例えば電源ＶＣＣのＯＮ又はスタンバイモードの解除）に応じて、デジタルサイネージ設定装置ＣＴｋの識別情報としての個別ＩＤ情報３１を記憶部ＨＤＣから取得する。個別ＩＤ情報３１は、デジタルサイネージ設定装置ＣＴｋを一意に識別する情報であり、例えばデジタルサイネージ設定装置ＣＴｋのＭＡＣ（Media Access Control）アドレス、又は顧客ＩＤと顧客に納品したデジタルサイネージ設定装置ＣＴｋの設置数との組み合わせの情報である。個別ＩＤ取得部２１は、個別ＩＤ情報を設定情報要求部２２又はコンテンツ要求部２４に出力する。
【００６７】
設定情報要求部２２は、個別ＩＤ取得部２１が出力した個別ＩＤ情報３１を用いて、デジタルサイネージ設定装置ＣＴｋに必要な設定情報の取得要求情報を生成して通信部ＣＭＣに出力する。通信部ＣＭＣは、デジタルサイネージ設定装置ＣＴｋに必要な設定情報の取得要求情報をサーバ装置ＳＲに送信する。
【００６８】
設定コマンド実行部２３は、通信部ＣＭＣがサーバ装置ＳＲから受信したデジタルサイネージ設定装置ＣＴｋに必要な設定情報をディスプレイ装置用設定情報３２と設定装置用設定情報３３とに区別して記憶部ＨＤＣに記憶する。設定コマンド実行部２３は、設定装置用設定情報３３に応じた設定コマンドを実行する。設定コマンド実行部２３は、ディスプレイ装置用設定情報３２に応じた設定コマンドの実行、又は記憶部ＨＤＣに記憶されているスケジュールデータ３５に従ったコンテンツデータ３４の出力（例えば表示、音声出力）を出力制御部ＤＣＮＴに指示する。
【００６９】
設定コマンド実行部２３は、ディスプレイ装置用設定情報３２に応じた設定コマンドとして、例えばディスプレイ装置Ｄｋの解像度を、ディスプレイ装置用設定情報３２に含まれる解像度に設定する（図４（Ｂ）に示す設定情報の項目１参照）。また、設定コマンド実行部２３は、設定装置用設定情報３３に応じた設定コマンドとして、例えばコンテンツデータをサーバ装置ＳＲからダウンロードする時刻を、設定装置用設定情報３３に含まれる時刻に設定する（図４（Ｂ）に示す設定情報の項目６参照）。
【００７０】
設定コマンド実行部２３は、デジタルサイネージ設定装置ＣＴｋに必要な全ての設定情報の設定コマンドの実行が既に完了した場合には、その旨を表す設定完了フラグ３６を生成して記憶部ＨＤＣに記憶する。なお、設定コマンド実行部２３は、デジタルサイネージ設定装置ＣＴｋに必要な全ての設定情報の設定コマンドの実行が既に完了した旨を表す設定完了フラグ３６を生成しても良いし、設定情報の項目毎に設定完了フラグを生成しても良い（図５（Ｂ）参照）。図５（Ｂ）は、設定完了フラグ３６の詳細の一例を示す図である。例えば、設定コマンド実行部２３は、ディスプレイ装置Ｄｋの解像度の設定コマンドを実行した場合には、ディスプレイ装置の画面解像度設定完了フラグを生成する。
【００７１】
コンテンツ要求部２４は、デジタルサイネージ設定装置ＣＴｋに必要な全ての設定情報の設定コマンドの実行が既に完了した後に、個別ＩＤ取得部２１が出力した個別ＩＤ情報３１を用いて、デジタルサイネージ設定装置ＣＴｋに必要なコンテンツデータの取得要求情報を生成して通信部ＣＭＣに出力する。通信部ＣＭＣは、デジタルサイネージ設定装置ＣＴｋに必要なコンテンツデータの取得要求情報をサーバ装置ＳＲに送信する。
【００７２】
出力制御部ＤＣＮＴは、設定コマンド実行部２３からの指示に応じて、ディスプレイ装置用設定情報３２に応じた設定コマンドを実行する。また、出力制御部ＤＣＮＴは、記憶部ＨＤＣに記憶されているスケジュールデータ３５に従って、コンテンツデータ３４をディスプレイ装置Ｄｋに出力する。出力制御部ＤＣＮＴは、例えばディスプレイ装置Ｄｋに音声出力用のスピーカが接続されている場合には、映像コンテンツの映像をディスプレイ装置Ｄｋに表示させ、更に、当該映像コンテンツの音声をスピーカから音声出力させる。
【００７３】
操作部ＯＰＣは、デジタルサイネージ設定装置ＣＴｋのユーザ（例えば作業員）がデジタルサイネージ設定装置ＣＴｋに対する操作を入力するユーザインターフェースであり、例えばデジタルサイネージ設定装置ＣＴｋがスマートフォンであれば画面上に搭載されたタッチパネルで構成され、また、デジタルサイネージ設定装置ＣＴｋが携帯電話機であれば電話番号等を入力するテンキー、オンフック又はオフフックを行う通話器キー及びファンクションキー等の各種キーで構成可能である。
【００７４】
設定装置記憶部としての記憶部ＨＤＣは、個別ＩＤ情報３１、ディスプレイ装置用設定情報３２、設定装置用設定情報３３、コンテンツデータ３４、スケジュールデータ３５及び設定完了フラグ３６を記憶する。
【００７５】
デジタルサイネージ設定装置ＣＴｋは、例えば一部又は全部の設定情報を取得したことを表す設定完了フラグ３６を記憶している場合には、一部又は全部の設定情報の設定コマンドの実行が既に完了しているので、設定コマンドが完了している項目の設定情報を用いた設定コマンド（例えば設定情報の入力処理）の実行を省略する。
【００７６】
これにより、デジタルサイネージ設定装置ＣＴｋは、サーバ装置ＳＲとの間の通信量を削減することができ、例えばコンテンツの表示に必要なデジタルサイネージ設定装置ＣＴｋ及びディスプレイ装置Ｄｋの設定作業を一層迅速化できる。
【００７７】
（本実施形態のデジタルサイネージシステム１００の動作）
次に、本実施形態のデジタルサイネージシステム１００の動作について、図６及び図７を参照して説明する。図６及び図７は、本実施形態のデジタルサイネージシステム１００の動作手順の一例を時系列に説明するシーケンス図である。図６は、デジタルサイネージ設定装置ＣＴｋの設定情報の設定コマンドの実行に関わる動作を説明する。図７は、デジタルサイネージ設定装置ＣＴｋの設定情報が設定された後、デジタルサイネージ設定装置ＣＴｋに必要なコンテンツデータの出力に関わる動作を説明する。
【００７８】
図６において、デジタルサイネージ設定装置ＣＴｋの電源ＶＣＣがＯＮされると（ＳＴ１）、デジタルサイネージ設定装置ＣＴｋは、サーバ装置ＳＲが接続されている同一のネットワークＮＷ１に接続された後、デジタルサイネージ設定装置ＣＴｋとサーバ装置ＳＲとの間の通信確認テスト用のページへのアドレスを含む通信要求情報を生成してサーバ装置ＳＲに送信する（ＳＴ２）。サーバ装置ＳＲは、デジタルサイネージ設定装置ＣＴｋとの間における通信要求を承認すると判定した場合に、デジタルサイネージ設定装置ＣＴｋとの間における通信要求を承認する旨の応答をデジタルサイネージ設定装置ＣＴｋに送信する（ＳＴ３）。
【００７９】
デジタルサイネージ設定装置ＣＴｋは、デジタルサイネージ設定装置ＣＴｋの識別情報としての個別ＩＤ情報３１を記憶部ＨＤＣから取得し、個別ＩＤ情報３１を用いて、デジタルサイネージ設定装置ＣＴｋに必要な設定情報の取得要求情報を生成してサーバ装置ＳＲに送信する（ＳＴ４）。
【００８０】
サーバ装置ＳＲは、デジタルサイネージ設定装置ＣＴｋにおける設定情報の設定コマンドの実行が既に完了しているか否かを設定情報管理データベースＴＰ１に問い合わせる（ＳＴ５）。具体的には、設定完了判定部１２は、図４（Ａ）に示す設定情報管理データベースＴＰ１を参照し、設定情報の取得要求に含まれるデジタルサイネージ設定装置ＣＴｋの個別ＩＤ情報３１に対応する「全ての設定情報の設定完了の有無」が「完」であるか否かを判定する（ＳＴ５）。
【００８１】
サーバ装置ＳＲは、デジタルサイネージ設定装置ＣＴｋの個別ＩＤ情報３１に対応する「全ての設定情報の設定完了の有無」が「完」ではないと判定した場合に、図４（Ａ）に示す設定情報管理データベースＴＰ１を参照し、設定情報の取得要求に含まれるデジタルサイネージ設定装置ＣＴｋの個別ＩＤ情報３１に対応する「設定情報の保存場所」を特定する。更に、サーバ装置ＳＲは、特定された「設定情報の保存場所」に従って、設定情報データベースＳＴＤの該当する保存場所にアクセスしてデジタルサイネージ設定装置ＣＴｋの設定情報を抽出し（ＳＴ６）、抽出された設定情報をデジタルサイネージ設定装置ＣＴｋに送信する（ＳＴ７）。
【００８２】
デジタルサイネージ設定装置ＣＴｋは、サーバ装置ＳＲから受信したデジタルサイネージ設定装置ＣＴｋに必要な設定情報をディスプレイ装置用設定情報３２と設定装置用設定情報３３とに区別して記憶部ＨＤＣに記憶する。デジタルサイネージ設定装置ＣＴｋは、設定装置用設定情報３３に応じた設定コマンドを実行する（ＳＴ８）。例えば、デジタルサイネージ設定装置ＣＴｋは、デジタルサイネージ設定装置ＣＴｋに必要なコンテンツデータをサーバ装置ＳＲから自動でダウンロードするための時刻を設定する（ＳＴ８）。また、デジタルサイネージ設定装置ＣＴｋは、デジタルサイネージ設定装置ＣＴｋが自動ＯＦＦする時刻又はスタンバイモードに移行する時刻を設定する（ＳＴ８）。
【００８３】
更に、デジタルサイネージ設定装置ＣＴｋは、ディスプレイ装置用設定情報３２に応じた設定コマンドを実行する（ＳＴ９〜ＳＴ１１）。
【００８４】
例えば、デジタルサイネージ設定装置ＣＴｋは、ディスプレイ装置用設定情報３２に含まれる所定時刻にディスプレイ装置Ｄｋの電源の自動ＯＮ及び自動ＯＦＦを設定する（ＳＴ９）。また、デジタルサイネージ設定装置ＣＴｋは、ディスプレイ装置用設定情報３２に含まれる音声出力の有無及び音量に従って、ディスプレイ装置Ｄｋに接続されるスピーカに音量を設定する（ＳＴ１０）。また、デジタルサイネージ設定装置ＣＴｋは、ディスプレイ装置用設定情報３２に含まれる設置場所及びディスプレイ装置Ｄｋの画面の解像度に従って、設置場所に応じたディスプレイ装置Ｄｋの画面の解像度を設定する（ＳＴ１１）。
【００８５】
デジタルサイネージ設定装置ＣＴｋは、ステップＳＴ８〜ステップＳＴ１１において設定した設定情報に対応する設定完了フラグ３６を生成して記憶部ＨＤＣに記憶し、更に、設定完了フラグ３６をサーバ装置ＳＲに送信する（ＳＴ１２）。サーバ装置ＳＲは、デジタルサイネージ設定装置ＣＴｋから送信された設定完了フラグ３６の内容に応じて、設定情報管理データベースＴＰ１又は個別設定情報完了データベースＴＰ２の内容を更新する（ＳＴ１３）。
【００８６】
図７において、デジタルサイネージ設定装置ＣＴｋは、ステップＳＴ８において設定されたコンテンツデータの自動ダウンロードの設定時刻になったことを確認する（ＳＴ１４）。
【００８７】
デジタルサイネージ設定装置ＣＴｋは、サーバ装置ＳＲが接続されている同一のネットワークＮＷ１に接続された後、デジタルサイネージ設定装置ＣＴｋとサーバ装置ＳＲとの間の通信確認テスト用のページへのアドレスを含む通信要求情報を生成してサーバ装置ＳＲに送信する（ＳＴ１５）。サーバ装置ＳＲは、デジタルサイネージ設定装置ＣＴｋとの間における通信要求を承認すると判定した場合に、デジタルサイネージ設定装置ＣＴｋとの間における通信要求を承認する旨の応答をデジタルサイネージ設定装置ＣＴｋに送信する（ＳＴ１６）。
【００８８】
デジタルサイネージ設定装置ＣＴｋは、デジタルサイネージ設定装置ＣＴｋの識別情報としての個別ＩＤ情報３１を記憶部ＨＤＣから取得し、個別ＩＤ情報３１を用いて、デジタルサイネージ設定装置ＣＴｋに必要なコンテンツデータの取得要求情報を生成してサーバ装置ＳＲに送信する（ＳＴ１７）。
【００８９】
サーバ装置ＳＲは、デジタルサイネージ設定装置ＣＴｋの個別ＩＤ情報３１に対応するコンテンツデータ及びスケジュールデータを、サイネージコンテンツデータベースＣＴＤから抽出し（ＳＴ１８）、抽出されたコンテンツデータ及びスケジュールデータをデジタルサイネージ設定装置ＣＴｋに送信する（ＳＴ１９）。
【００９０】
デジタルサイネージ設定装置ＣＴｋは、サーバ装置ＳＲから受信したコンテンツデータ及びスケジュールデータを記憶部ＨＤＣに記憶する。デジタルサイネージ設定装置ＣＴｋは、記憶部ＨＤＣに記憶されているスケジュールデータ３５に従って、コンテンツデータ３４をディスプレイ装置Ｄｋに出力する（ＳＴ２０）。また、デジタルサイネージ設定装置ＣＴｋは、例えばディスプレイ装置Ｄｋに音声出力用のスピーカが接続されている場合には、ステップＳ１１において設定された画面の解像度を用いて映像コンテンツの映像をディスプレイ装置Ｄｋに表示させ、更に、ステップＳ１０において設定された音量によって当該映像コンテンツの音声をスピーカから音声出力させる（ＳＴ２０）。
【００９１】
デジタルサイネージ設定装置ＣＴｋは、ステップＳＴ９において設定された自動ＯＦＦの時刻になると、ディスプレイ装置Ｄｋの電源をＯＦＦさせる（ＳＴ２１）。更に、デジタルサイネージ設定装置ＣＴｋは、ステップＳＴ８において設定されたスタンバイモードへの移行時刻になると、スタンバイモードに移行する（ＳＴ２２）。これにより、本実施形態のデジタルサイネージシステム１００の動作は終了する。
【００９２】
以上により、本実施形態のデジタルサイネージシステム１００では、サーバ装置ＳＲは、デジタルサイネージ設定装置ＣＴｋの個別ＩＤ情報３１を含む設定情報の取得要求情報を受けると、デジタルサイネージ設定装置ＣＴｋの個別ＩＤ情報３１に対応した設定情報を記憶部ＨＤＳから抽出してデジタルサイネージ設定装置ＣＴｋに送信する。デジタルサイネージ設定装置ＣＴｋは、サーバ装置ＳＲから送信された所定の設定情報を用いて、設置場所に設置されるデジタルサイネージ設定装置ＣＴｋとディスプレイ装置Ｄｋに設定コマンドを実行する。
【００９３】
これにより、本実施形態のデジタルサイネージシステム１００は、キッティング対象のデジタルサイネージ設定装置ＣＴｋが複数ある場合でも、デジタルサイネージ設定装置ＣＴｋの個別ＩＤ情報３１毎に予め保存された設定情報をサーバ装置ＳＲにおいて簡易に抽出できるので、コンテンツの表示に必要なデジタルサイネージ設定装置ＣＴｋ及びディスプレイ装置Ｄｋの設定作業を迅速化することができる。
【００９４】
（本実施形態の変形例）
次に、本実施形態の変形例（以下、「本変形例」という）について図８及び図９を参照して説明する。本実施形態の変形例では、デジタルサイネージ設定装置ＣＴｋが予め個別ＩＤ情報３１を保持していない場合に、外部の個別ＩＤ設定装置ＧＩＤから付与された個別ＩＤ情報３１を用いて、上述した実施形態と同様に、デジタルサイネージ設定装置ＣＴｋに必要な設定情報をサーバ装置ＳＲに要求する。以下、上述した実施形態と異なる内容について説明し、同一の内容についての説明は省略又は簡略化する。
【００９５】
（デジタルサイネージシステムのシステム構成）
本変形例のデジタルサイネージシステムのシステム構成について、図８を参照して説明する。図８は、本変形例のデジタルサイネージシステム１００Ａのシステム構成を示すブロック図である。図８に示すデジタルサイネージシステム１００Ａは、サーバ装置ＳＲ、遠隔操作用装置ＯＰ、複数のデジタルサイネージ設定装置ＣＴｋ（ｋ：１≦ｋ≦ｎを満たす整数、ｎ：整数、以下同様）及び複数のディスプレイ装置Ｄｋを含む。なお、図８の説明の都合上、デジタルサイネージ設定装置ＣＴ（ｋ＋１）〜ＣＴｎ及びディスプレイ装置Ｄ（ｋ＋１）〜Ｄｎの図示は省略している。
【００９６】
本変形例では、デジタルサイネージ設定装置ＣＴｋは個別ＩＤ情報３１を予め保持しておらず、例えば作業員がデジタルサイネージ設定装置ＣＴｋの設置場所に出向き、現地において外部の識別情報設定装置としての個別ＩＤ設定装置ＧＩＤｋからデジタルサイネージ設定装置ＣＴｋの個別ＩＤ情報３１を与える。即ち、個別ＩＤ設定装置ＧＩＤｋは、デジタルサイネージ設定装置ＣＴｋの設置場所において、作業員の入力操作に応じて、デジタルサイネージ設定装置ＣＴｋの個別ＩＤ情報３１を付与する。なお、個別ＩＤ情報３１は、上述した実施形態と同様である。また、個別ＩＤ設定装置ＧＩＤｋは、デジタルサイネージ設定装置ＣＴｋ毎に設けられても良いし、全てのデジタルサイネージ設定装置ＣＴ１〜ＣＴｎに対して各個別ＩＤ情報を付与しても良い。
【００９７】
（本変形例のデジタルサイネージシステム１００Ａの動作）
次に、本変形例のデジタルサイネージシステム１００Ａの動作について、図９及び図７を参照して説明する。図９は、本変形例のデジタルサイネージシステム１００Ａの動作手順の一例を時系列に説明するシーケンス図である。図９に示すシーケンス図では、デジタルサイネージ設定装置ＣＴｋの電源ＶＣＣがＯＮした後に、個別ＩＤ設定装置ＧＩＤｋは、デジタルサイネージ設定装置ＣＴｋの個別ＩＤ情報３１を付与する（ＳＴ１ａ）。ステップＳＴ１ａ以降の動作は、図６及び図７と同一であるため、説明を省略する。
【００９８】
なお、本変形例では、デジタルサイネージ設定装置ＣＴｋは、設置場所の情報を保持している場合には、設定情報をサーバ装置ＳＲに要求する時に個別ＩＤ情報３１の代わりに設置場所の情報を含む設定情報の取得要求情報を生成してサーバ装置ＳＲに送信しても良い。この場合、サーバ装置ＳＲは、デジタルサイネージ設定装置ＣＴｋから送信された設定情報の取得要求情報に応じて、デジタルサイネージ設定装置ＣＴｋの設置場所に対応する設定情報を抽出してデジタルサイネージ設定装置ＣＴｋに送信する。
【００９９】
以上により、本変形例のデジタルサイネージシステム１００Ａでは、サーバ装置ＳＲは、デジタルサイネージ設定装置ＣＴｋが予め個別ＩＤ情報３１を保持していない場合であっても、デジタルサイネージ設定装置ＣＴｋの起動に応じて、外部の個別ＩＤ設定装置ＧＤＩｋから付与された個別ＩＤ情報３１又は設置場所の情報を用いた設定情報の要求を受けると、デジタルサイネージ設定装置ＣＴｋの個別ＩＤ情報３１に対応した設定情報を記憶部ＨＤＳから抽出してデジタルサイネージ設定装置ＣＴｋに送信する。デジタルサイネージ設定装置ＣＴｋは、サーバ装置ＳＲから送信された所定の設定情報を用いて、設置場所に設置されるデジタルサイネージ設定装置ＣＴｋとディスプレイ装置Ｄｋに設定コマンドを実行する。
【０１００】
これにより、本変形例のデジタルサイネージシステム１００Ａは、キッティング対象のデジタルサイネージ設定装置が複数ある場合でも、デジタルサイネージ設定装置ＣＴｋの個別ＩＤ情報又は設置場所毎に予め保存された設定情報をサーバ装置ＳＲにおいて簡易に抽出できるので、コンテンツの表示に必要なデジタルサイネージ設定装置ＣＴｋ及びディスプレイ装置Ｄｋの設定作業を迅速化することができる。
【０１０１】
以上、図面を参照して各種の実施形態について説明したが、本発明はかかる例に限定されないことは言うまでもない。当業者であれば、特許請求の範囲に記載された範疇内において、各種実施の形態の変更例または修正例、更に各種実施の形態の組み合わせ例に想到し得ることは明らかであり、それらについても当然に本発明の技術的範囲に属するものと了解される。
【０１０２】
なお、上述した実施形態及び変形例では、デジタルサイネージ設定装置ＣＴｋは、サーバ装置ＳＲから設定情報を１回取得した旨を説明した。例えば遠隔操作用装置ＯＰを用いるユーザの入力操作に応じて、サーバ装置ＳＲに記憶されている設定情報データベースＳＴＤ又は設定情報管理データベースＴＰ１の内容が更新されることもあるため、デジタルサイネージ設定装置ＣＴｋは、設定情報の取得要求情報を１回だけ生成してサーバ装置ＳＲから１回だけ設定情報を取得するのではなく、定期的に設定情報を取得することが好ましい。
【０１０３】
なお、本出願は、２０１３年１月３１日出願の日本特許出願（特願２０１３−０１７６０３）に基づくものであり、その内容は本出願の中において参照して援用される。
【産業上の利用可能性】
【０１０４】
本発明は、キッティング対象のデジタルサイネージ設定装置が複数ある場合でも、コンテンツの表示に必要なデジタルサイネージ設定装置及びディスプレイ装置の設定作業を簡易に迅速化する情報配信システム及び設定情報通信方法として有用である。
【符号の説明】
【０１０５】
１１  通信確認部
１２  設定完了判定部
１３  設定情報管理部
１４  コンテンツ管理部
２１  個別ＩＤ取得部
２２  設定情報要求部
２３  設定コマンド実行部
２４  コンテンツ要求部
３１  個別ＩＤ情報
３２  ディスプレイ装置用設定情報
３３  設定装置用設定情報
３４  コンテンツデータ
３５  スケジュールデータ
３６  設定完了フラグ
１００、１００Ａ  デジタルサイネージシステム
ＣＭＳ、ＣＭＣ  通信部
ＣＮＴＣ  設定装置制御部
ＣＮＴＳ  サーバ制御部
ＣＴ１、ＣＴｋ、ＣＴｎ  デジタルサイネージ設定装置
ＣＴＤ  サイネージコンテンツデータベース
Ｄ１、Ｄｋ、Ｄｎ  ディスプレイ装置
ＤＣＮＴ  出力制御部
ＧＩＤｋ  個別ＩＤ設定装置
ＨＤＳ、ＨＤＣ  記憶部
ＮＷ  ネットワーク
ＯＰ  遠隔操作用装置
ＯＰＣ  操作部
ＲＭＳ、ＲＭＣ  メモリ
ＳＲ  サーバ装置
ＳＴＤ  設定情報データベース
ＴＰ１  設定情報管理データベース
ＴＰ２  個別設定情報完了データベース
ＶＣＣ  電源
【図１】
2014118849.tif 000003
【図２】
2014118849.tif 000004
【図３】
2014118849.tif 000005
【図４】
2014118849.tif 000006
【図５】
2014118849.tif 000007
【図６】
2014118849.tif 000008
【図７】
2014118849.tif 000009
【図８】
2014118849.tif 000010
【図９】
2014118849.tif 000011
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
設定装置とサーバ装置とディスプレイ装置とがネットワークを介して接続された情報配信システムであって、
前記サーバ装置は、
前記ディスプレイ装置におけるコンテンツの表示及び表示スケジュールの各制御に関する設定情報を含む所定の設定情報を前記設定装置の識別情報に対応付けて保存するサーバ記憶部と、
前記設定装置の識別情報に対応した前記所定の設定情報を抽出するサーバ制御部と、
抽出された前記所定の設定情報を前記設定装置に送信するサーバ通信部と、を備え、
前記設定装置は、
前記設定装置の識別情報を保存する設定装置記憶部と、
前記設定装置の起動に応じて、前記設定装置の識別情報を用いて、前記設定装置に対応した前記所定の設定情報を要求する設定装置制御部と、
送信された前記設定装置に対応した前記所定の設定情報を受信する設定装置受信部と、を備え、
前記設定装置制御部は、受信された前記所定の設定情報に応じて、前記コンテンツの表示及び表示スケジュールの各制御に関する設定情報に対応する設定コマンドを実行する、
情報配信システム。
【請求項２】
設定装置とサーバ装置とディスプレイ装置とがネットワークを介して接続された情報配信システムであって、
前記サーバ装置は、
前記ディスプレイ装置におけるコンテンツの表示及び表示スケジュールの各制御に関する設定情報を含む所定の設定情報を前記設定装置の識別情報に対応付けて保存するサーバ記憶部と、
前記設定装置の識別情報に対応した前記所定の設定情報を抽出するサーバ制御部と、
抽出された前記所定の設定情報を前記設定装置に送信するサーバ通信部と、を備え、
前記設定装置は、
前記設定装置の起動に応じて、外部の識別情報設定装置から付与された前記設定装置の識別情報を取得し、付与された前記設定装置の識別情報を用いて、前記設定装置に対応した前記所定の設定情報を要求する設定装置制御部と、
送信された前記設定装置に対応した前記所定の設定情報を受信する設定装置受信部と、を備え、
前記設定装置制御部は、受信された前記所定の設定情報に応じて、前記コンテンツの表示及び表示スケジュールの各制御に関する設定情報に対応する設定コマンドを実行する、
情報配信システム。
【請求項３】
請求項１又は２に記載の情報配信システムであって、
前記サーバ記憶部は、前記所定の設定情報を、前記設定情報の識別情報と前記設定装置の設置場所との組み合わせに対応付けて保存する、
情報配信システム。
【請求項４】
請求項１又は２に記載の情報配信システムであって、
前記サーバ記憶部又は前記設定装置は、前記設定装置の識別情報と前記設定装置の設置場所と前記所定の全ての設定情報の設定完了の有無とを対応付けた設定情報管理情報を更に記憶し、
前記設定装置制御部は、前記設定装置の識別情報に対応した前記所定の全ての設定情報の設定コマンドの実行が既に完了している場合に、前記設定コマンドの実行を省略する、
情報配信システム。
【請求項５】
請求項１又は２に記載の情報配信システムであって、
前記サーバ記憶部又は前記設定装置は、前記設定装置の識別情報と前記所定の全ての設定情報のうち個々の設定情報の設定完了の有無とを対応付けた個別設定情報完了情報を更に記憶し、
前記設定装置制御部は、前記設定装置の識別情報に対応した前記所定の全ての設定情報のうち設定コマンドの実行が既に完了している前記設定情報に対して、前記設定コマンドの実行を省略する、
情報配信システム。
【請求項６】
ネットワークを介して接続された設定装置とサーバ装置とディスプレイ装置とを含む情報配信システムにおける設定情報通信方法であって、
前記設定装置が、前記設定装置の起動に応じて、前記設定装置の識別情報を用いて、前記設定装置に対応した、前記ディスプレイ装置におけるコンテンツの表示及び表示スケジュールの各制御に関する設定情報を含む所定の設定情報を要求するステップと、
前記サーバ装置が、前記所定の設定装置の要求に応じて、前記所定の設定情報を前記設定装置の識別情報に対応付けて保存するサーバ記憶部から、前記設定装置の識別情報に対応した前記所定の設定情報を抽出するステップと、
前記サーバ装置が、抽出された前記所定の設定情報を前記設定装置に送信するステップと、
前記設定装置が、送信された前記設定装置に対応した前記所定の設定情報を受信するステップと、
前記設定装置が、受信された前記所定の設定情報に応じて、前記コンテンツの表示及び表示スケジュールの各制御に関する設定情報に対応する設定コマンドを実行するステップと、を有する、
設定情報通信方法。
【請求項７】
ネットワークを介して接続された設定装置とサーバ装置とディスプレイ装置とを含む情報配信システムにおける設定情報通信方法であって、
前記設定装置が、前記設定装置の起動に応じて、外部の識別情報設定装置から付与された前記設定装置の識別情報を用いて、前記設定装置に対応した、前記ディスプレイ装置におけるコンテンツの表示及び表示スケジュールの各制御に関する設定情報を含む所定の設定情報を要求するステップと、
前記サーバ装置が、前記所定の設定装置の要求に応じて、前記所定の設定情報を前記設定装置の識別情報に対応付けて保存するサーバ記憶部から、前記設定装置の識別情報に対応した前記所定の設定情報を抽出するステップと、
前記サーバ装置が、抽出された前記所定の設定情報を前記設定装置に送信するステップと、
前記設定装置が、送信された前記設定装置に対応した前記所定の設定情報を受信するステップと、
前記設定装置が、受信された前記所定の設定情報に応じて、前記コンテンツの表示及び表示スケジュールの各制御に関する設定情報に対応する設定コマンドを実行するステップと、を有する、
設定情報通信方法。
【国際調査報告】
2014118849.tif 000012
2014118849.tif 000013
2014118849.tif 000014
2014118849.tif 000015